(57)【特許請求の範囲】
【請求項１】
第一の側面と第二の側面を有するベースからなる伸張した柔軟部、
前記ベースの第一の側面から伸びた第一のアーム一対、
前記ベースの第二の側面から伸びた第二のアーム一対、
第一の末端と第二の末端を有する第一のストリップ部、及び
第一の末端と第二の末端を有する第二のストリップ部からなり、
前記第一のアーム一対がセントラルエリアを有する第一の末端部に接合し、
前記第二のアーム一対がセントラルエリアを有する第二の末端部に接合し、
前記第一のストリップ部の第一の末端が剥離可能な状態で前記ベースの第一の側面に接合し、かつ、前記第一のストリップ部の第二の末端が前記第一の末端部に持続的に接合しており、
前記第二のストリップ部の第一の末端が前記ベースの第二の側面に剥離可能な状態で接合しており、前記第二のストリップ部の第二の末端が前記第二の末端部に持続的に接合しており、前記第一及び第二のストリップ部のそれぞれの第一の末端が、脱着した際に、ストリップ部の自由端を形成する運搬具であり、
前記第一の一対の切り抜き部は、前記ベースの第一の側面、前記第一のアーム一対、前記第一の末端部、及び、前記第一のストリップ部に囲まれて形成され、
前記第二の一対の切り抜き部は、前記ベースの第二の側面、前記第二のアーム一対、前記第二の末端部、及び、前記第二のストリップ部に囲まれて形成され、
第一及び第二の対になった開口部は、箱の角部が入るように寸法合わせされており、
第一のストリップ部の第一末端と第二のストリップ部の第一末端とは、運搬具内に箱を保持するために互いに結び付けられるものである
ことを特徴とする運搬具。
【請求項２】
第一及び第二の末端部に切り込みがある請求項１記載の運搬具。
【請求項３】
第一及び第二のストリップ部は、運搬具と一体化している請求項１記載の運搬具。
【請求項４】
ポリマーにより得られる請求項１記載の運搬具。
【請求項５】
ポリマーは低密度ポリエチレンである請求項４記載の運搬具。
【請求項６】
ポリマーは高密度ポリエチレンである請求項４記載の運搬具。
【請求項７】
原料の単一シートより得られるものである請求項１記載の運搬具。
【請求項８】
開口部を有するタブが第一及び第二の末端部に剥離可能な状態で接合している請求項１記載の運搬具。
【請求項９】
第一及び第二の切り抜き部は、それぞれ非対称形状を有するものである請求項１記載の運搬具。
【発明の詳細な説明】
【技術分野】
【０００１】
本発明は箱等の運搬具に関し、これにより一つの箱又は複数の箱を運搬具内に固定し、運搬具内で横になった状態で運ぶことができるものである。また、本発明は、上記運搬具を使用して箱等を固定し、運搬する方法に関するものでもある。
【背景技術】
【０００２】
一般的に、正方形又は長方形の箱は、ピザ等の食品を運ぶために使用され、そのためには食品を収めた箱を運搬する間、箱を実質上横になった状態で固定し運ぶ必要がある。従来の食品店の運搬具は、袋の大きさが不充分であり、袋の開口部が狭すぎるためにピザの箱等に対応しないため、このような目的には有効ではない。
【０００３】
箱の中身がこぼれおちないように、また、箱の中身が箱の中で動かないようにするために、主として一定の方向にして運ぶ必要がある箱に対して、箱の四隅に対応するために切り抜き部を形成することで従来の箱の運搬具は適応してきた。
【０００４】
しかしながら、従来の運搬具の欠点の一つとして、運搬具内での箱の固定が通常不充分であり、その結果、特に運搬用ハンドルの一方をユーザーがうっかり離してしまった時などに運搬具から箱が運搬具から落ちやすいという欠点があった。
【０００５】
したがって、本発明の第一の目的は、箱又は複数の箱を固定した状態で保持することができる箱の運搬具を提供することである。
【０００６】
本発明のその他の目的は、もしユーザーが運搬具のハンドルの一方をうっかり離してしまっても箱又は複数の箱が運搬具から落ちることを防ぐ箱の運搬具を提供することである。
【発明の概要】
【０００７】
これらの課題は、本発明において、運搬具本体からストリップのそれぞれの末端を一方から分離した際に、離れたストリップの末端を例えば結び目で固定して、運搬具内にコンテナーを固定する手段を形成する、一対の分離可能なストリップを含む柔軟な運搬具を開発することで対応している。一旦アイテムが運搬具内に固定されると、ユーザーが運搬具のハンドルの一方を離してしまっても、アイテムは運搬具から落ちないと考えられる。
【図面の簡単な説明】
【０００８】
本発明のこれらの課題は、本発明の好ましい態様の詳細な説明及び以下の図面から当業者によって理解される。
【０００９】
図１は、本発明の運搬具を展開した、折りたたんでいない形態で示した線画である。
【００１０】
図２は、本発明の運搬具を折りたたんだ、２層形態で示した線画である。
【００１１】
図３は、ストリップ部を縛って運搬具内にアイテムを固定し運搬する際に、ユーザーが運搬具を握る様子を示した線画である。
【００１２】
図４は、ユーザーがうっかり運搬具のハンドルの片方を離してしまっても、ストリップ部を結んでいるためピザの箱が運搬具内に固定されている様子を示した線画である。
【発明を実施するための形態】
【００１３】
図１及び２に関して、運搬具１は、第一の側面４と第二の側面５を有するベース３；上記ベース３の上記第一の側面４から伸びた第一の一対のアーム６；上記ベースの上記第二の側面５から伸びた第二の一対のアーム７；第一の末端と第二の末端を有する第一のストリップ部１０；；第一の末端と第二の末端を有する第二のストリップ部１１からなり、ここで上記第一の一対のアーム６は第一の末端部８につながり、上記第二の一対のアーム７は第二の末端部９につながっており；上記第一のストリップ部１０の第一の末端は、上記ベース３の上記第一の側面４に分離可能な状態で接合しており、上記第一のストリップ部１０の第二の末端は上記第一の末端部８につながっており；上記第二のストリップ部１１の第一の末端は、ベースの第二の側面５に分離可能な状態で接合しており、上記第二のストリップ部１１の第二の末端は、上記第二の末端部９につながっている。
【００１４】
切り抜き部１２は、上記第一及び第二の末端部８及び９に存在し、切り抜き部のある末端部８及び９は、運搬用ハンドルとして利用される。二等分の運搬具を一緒に運ぶ場合、ユーザーは指を２つの切り取り部に通して、閉じた状態で運搬具をつかむことができる。
【００１５】
開口部１４を有するタブ１３は、上記第一及び第二の末端部８及び９に分離可能な状態で接合していてもよい。タブ１３と開口部１４は、運搬具をフック等につりさげるために使用することができ、使用の際には運搬具１をタブ１３からはずせばよい。
【００１６】
運搬具の半分に関して、ストリップ部１０の第一の末端がベース３の第一の側面４に分離可能な状態で接合している時、ベース３、一対のアーム６、末端部８、及び、ストリップ１０により一対の切り抜き部１５が明確になる。運搬具のもう一方の半分に関して、ストリップ１１の第一の末端がベース３の第二の側面５に分離可能な状態で接合している時、ベース３、一対のアーム７、末端部９、及び、ストリップ１１により、切り抜き部１６が明確になる。
【００１７】
運搬具１内に箱１９を固定するために、まず、箱１９を畳まれていない状態の運搬具１内におく、その際、箱１９の角を末端部８及び９とは反対の方向に置く。次に、ストリップ部１０及び１１の第二の末端をベース３からはがし、何らかの方法で互いに固定する、ストリップ部１０及び１１の剥がした第二の末端を結び目１８によって結ぶ方法が好ましい。箱又は複数の箱１９を固定した運搬具１は、切り抜き部１２を利用してユーザーが持ち上げることができ、運ぶことができる（図３）。もしユーザーがうっかり運搬具の片方のハンドルをつかむ手を離してしまっても、箱１９は、ストリップ部１０及び１１を固定する結び目１８によって運搬具１内に固定されたままである（図４）。
【００１８】
様々な大きさで、さまざまな形状を有する単一の又は複数の箱を横にした状態で運ぶために、より具体的には、ピザ等の焼いた食品、生け花、パック入りの飲料等を入れた箱を運ぶために、本発明品を用いることができる。
【００１９】
上記運搬具は、様々な大きさで、さまざまな形状を有する単一の又は複数の箱を横にした状態で運ぶために用いることができる。より具体的には、上記運搬具は、ピザ等の焼いた食品、生け花、パック入りの飲料等を入れた箱を運ぶために用いることができる。
【００２０】
上記運搬具は、綿、ナイロン、その他ポリマー等の素材を含む、柔軟で変形可能な材料により得ることができる。上記運搬具は、食料品を運ぶための一般的な運搬袋を製造するために使用される、例えば、低密度ポリエチレン（ＬＤＰＥ）や高密度ポリエチレン（ＨＤＰＥ）を含むプラスチック等の標準的な材料から製造されることが好ましい。上記運搬具は、生分解性ポリエチレンから製造してもよい。
【００２１】
上記運搬具は、種々の色や質感にすることができ、また印刷することもできる。
【００２２】
上記運搬具は、材料の単一層から切り出すことができ、次におおよその中間点で折りたたんで運搬具を形成することができる。このように、上記ストリップは、運搬具の残りに一体化して形成される。好ましい形態として、上記運搬具は、２層シートから切り出すことで、折りたたむ必要なく切り出し後に使用準備ができる。
【００２３】
上記運搬具は、異なる大きさの箱や物品に対応するように選択することができる。
【００２４】
本発明の好ましい態様を示し、説明したが、本発明の精神と範囲から逸脱することなく種々の改良や置き換えを行うことができる。したがって、本発明は、図のみを用いて説明だれると理解でき、またこのような説明は添付のクレームを制限するものとして解釈されるべきではない。
【図１】
0005702380.tif 000002
【図２】
0005702380.tif 000003
【図３】
0005702380.tif 000004
【図４】
0005702380.tif 000005